(57)【要約】【課題】板ガラス体本体の外周縁部への取り付けを容易に行うことができると共に、複層ガラス保持部材の内側に溜まった水を速やかにサッシ側に排出することができる板ガラス保持部材を提供する。【解決手段】断面コの字形の長尺状複層ガラス保持部材３０ａが複層ガラス本体１０の底辺以外の３辺の外周縁に嵌め込まれ、一対の板ガラス保持部材３０ｂは複層ガラス本体１０の底辺の外周縁をその両側で挟持する。これにより、複層ガラス保持部材３０は、複層ガラス体１のサッシ２０のチャンネル内で複層ガラス本体１０を保持する。各端が４５°に傾斜している複層ガラス保持部材３０ｂは、各端が４５°に傾斜している複層ガラス保持部材３０ａと各隅部５１で直角に接合している。複層ガラス保持部材３０ｂの一対の軟質部材４２は、複層ガラス保持部材３０ａの一対の軟質部材３２と角隅部５１で接合している。この接合は融着によってなされ、軟質部材４２と軟質部材３２とは一体化されている。【選択図】      図４
2004360439.tif 000002
【特許請求の範囲】
【請求項１】
板ガラス体の板ガラス支持枠のチャンネル内で板ガラス体本体を保持すべく、当該板ガラス体本体の外周縁に嵌め込まれる板ガラス保持部材において、前記板ガラス体本体の底辺以外の３辺の外周縁に嵌め込まれる長尺状断面コの字形の板ガラス保持部と、前記板ガラス体本体の底辺の外周縁をその両側で挟持する一対の板ガラス保持部とから成り、前記一対の板ガラス保持部は、前記断面コの字形の板ガラス保持部の両側部に夫々接合されていることを特徴とする板ガラス保持部材。
【請求項２】
前記一対の板ガラス保持部は、夫々断面Ｌ字形部材から成ることを特徴とする請求項１記載の板ガラス保持部材。
【請求項３】
前記一対の板ガラス保持部は、それらの各対向縁において前記板ガラス支持枠側に立設された一対のひれ状部材を有することを特徴とする請求項２記載の板ガラス保持部材。
【請求項４】
前記一対の板ガラス保持部は、夫々前記板ガラス体本体の各表面と粘着されることを特徴とする請求項１乃至３のいずれか１項に記載の板ガラス保持部材。
【請求項５】
前記粘着は、両面粘着テープによって行われることを特徴とする請求項１乃至４のいずれか１項に記載の板ガラス保持部材。
【請求項６】
前記一対の板ガラス保持部は前記断面コの字形の板ガラス保持部に融着されていることを特徴とする請求項１乃至５のいずれか１項に記載の板ガラス保持部材。
【発明の詳細な説明】
【０００１】
【発明の属する技術分野】
本発明は、板ガラス保持部材に関し、特に板ガラス体本体の外周縁部に取り付けられる板ガラス保持部材に関する。
【０００２】
【従来の技術】
図１１に示すように、従来の板ガラス保持部材を備える板ガラス体としての複層ガラス体１００は、複層ガラス本体１１０と、複層ガラス本体１１０の外周縁部に嵌め込まれた従来のガラス保持部材としての複層ガラス保持部材１３０と、複層ガラス保持部材１３０を介して複層ガラス本体１１０を保持するサッシ１２０とから成る（例えば、特許文献１、特許文献２、及び特許文献３参照）。
【０００３】
サッシ１２０は、複層ガラス保持部材１３０が外周縁部に嵌め込まれた複層ガラス本体１１０を収容するチャンネル状のサッシ本体１２１と、サッシ本体１２１のチャンネルの底部であるチャンネル底部１２２上に載置され、複層ガラス本体１１０が収容された複層ガラス保持部材１３０を支持するセッティングブロック１２３とから成る。
【０００４】
複層ガラス保持部材１３０は、長尺状であり、複層ガラス本体１１０の外周縁部を収容し得る溝１３３、及びサッシ１２０のチャンネル内に嵌め込まれ得る外形を有する長尺状の硬質塩化ビニル製硬質部材１３１と、硬質部材１３１の両側部上縁に各下縁部で夫々固定され、溝１３３に挿入された複層ガラス本体１１０をその各側部において挟持する塩化ビニル樹脂製又はエラストマー系樹脂製の一対の軟質部材１３２とから成る。
【０００５】
硬質部材１３１は、互いに線対称に配列された一対の断面Ｌ字形部材１３１ａ，１３１ｂから成り、断面Ｌ字形部材１３１ａ，１３１ｂは、夫々、長手方向に沿ったスリット１３５を形成すべく対峙する底部１３４ａ，１３４ｂを有する。スリット１３５は、複層ガラス本体１１０と複層ガラス保持部材１３０の間から浸入した水を逃がす。また、断面Ｌ字形部材１３１ａ，１３１ｂは、コーキング剤で複層ガラス本体１１０に接着される。
【０００６】
軟質部材１３２は、その内側面から下方に向かって斜めに突出する塩化ビニル樹脂製又はエラストマー系樹脂製でショア硬度６０〜７５度程度の一対の挟持片部１３６を備え、さらに、その上縁に、複層ガラス本体１１０の各表面との間を密閉すべく内側に突出した一対のシール片部１３７と、サッシ１２０のチャンネルの両縁部に対して夫々係止自在に外側に突出した一対の弾性張出係止部１３８とを備える。これらの挟持部１３６は、その先端部各々の間隔寸法が複層ガラス本体１１０の厚さ寸法より小さく設定されており、複層ガラス本体１１０が溝１３３に挿入される際に、複層ガラス本体１１０によって底部１３４方向に弾性的に撓んで、この撓みにより発生する弾性力によって複層ガラス本体１１０を挟持する。
【０００７】
複層ガラス本体１１０は、間に中空層１１４を画成するようにその周縁部に配されたスペーサ１１３を介して対向する一対の板ガラス１１１，１１２を備え、各板ガラス１１１，１１２とスペーサ１１３とは、一次シール材１１５により互いに接着されている。また、複層ガラス本体１１０の外周縁部で、板ガラス１１１，１１２、及びスペーサ１１３により形成された空間には、二次シール材１１６が充填されている。一次シール材１１５は、特に水分を透過し難くするためにブチルゴム製で、二次シール材１１６は、接着力の高いシリコン系またはポリサルファイド系のシール材で構成されている。スペーサ１１３は、横断面が略矩形の角筒部材１１３ａと、その角筒部材１１３ａの内空部に充填された乾燥材１１３ｂとから成り、角筒部材１１３ａには、中空層１１４に面する部分において、長手方向に沿って等間隔に複数の貫通孔１１３ｃが形成されている。乾燥剤１１３ｂは、中空層１１４内の水分を貫通口１１３ｃを介して吸収し、中空層１１４内での結露を防止する。
【０００８】
複層ガラス本体１１０は、その外周縁部が複層ガラス保持部材１３０の溝１３３内に嵌め込まれて、複層ガラス保持部材１３０によりその底部１３４上で支持され、且つ挟持片部１３６により外周縁部が挟持されて、この複層ガラス保持部材１３０を介してサッシ１２０により保持される。
【０００９】
【特許文献１】
特開２００１−１８２４４８号公報
【特許文献２】
特開２００１−１８２４４９号公報
【特許文献３】
特開２００１−１６４８４２１号公報
【００１０】
【発明が解決しようとする課題】
しかしながら、硬質部材１３１が、底部１３４ａ，１３４ｂで連結されていない一対の断面Ｌ字形部材１３１ａ，１３１ｂから成るため、複層ガラス本体１１０をサッシ１２０に嵌め込む前に、複層ガラス本体１１０の外周縁部にこの断面Ｌ字形部材１３１ａ，１３１ｂを１つずつコーキング剤で粘着させる必要があり、取り付けの手数がかかるという問題があった。
【００１１】
また、複層ガラス保持部材１３０は、サッシ１２０のセッティングブロック１２３上に直接載置されているので、セッティングブロック１２３上に位置する水抜き孔１３５内に水が溜まり、この水抜き孔１３５内に溜まった水が二次シール材１１６と接触して、二次シール材１１６が劣化するという問題があった。
【００１２】
本発明の目的は、板ガラス体本体の外周縁部への取り付けを容易に行うことができると共に、複層ガラス保持部材の内側に溜まった水を速やかにサッシ側に排出することができる板ガラス保持部材を提供することにある。
【００１３】
【課題を解決するための手段】
上記目的を達成するために、請求項１記載の板ガラス保持部材は、板ガラス体の板ガラス支持枠のチャンネル内で板ガラス体本体を保持すべく、当該板ガラス体本体の外周縁に嵌め込まれる板ガラス保持部材において、前記板ガラス体本体の底辺以外の３辺の外周縁に嵌め込まれる長尺状断面コの字形の板ガラス保持部と、前記板ガラス体本体の底辺の外周縁をその両側で挟持する一対の板ガラス保持部とから成り、前記一対の板ガラス保持部は、前記断面コの字形の板ガラス保持部の両側部に夫々接合されていることを特徴とする。
【００１４】
請求項１の板ガラス保持部材によれば、ガラス体本体の底辺の外周縁をその両側で挟持する一対の板ガラス保持部が、断面コの字形の板ガラス保持部の両側部に夫々接合されているので、断面コの字形の板ガラス保持部をガラス体本体の底辺以外の３辺の外周縁に嵌め込むのと同時に、一対の板ガラス保持部をガラス体本体の底辺の外周縁に嵌め込むことができ、もって板ガラス体本体の外周縁部への取り付けを容易に行うことができる。
【００１５】
請求項２記載の板ガラス保持部材は、請求項１記載の板ガラス保持部材において、前記一対の板ガラス保持部は断面Ｌ字形部材から成ることを特徴とする。
【００１６】
請求項２記載の板ガラス保持部材によれば、一対の板ガラス保持部は、夫々断面Ｌ字形部材から成るので、板ガラス体本体の外周縁部への取り付けをさらに容易に行うことができる。
【００１７】
請求項３記載の板ガラス保持部材は、請求項１記載の板ガラス保持部材において、前記一対の板ガラス保持部は、それらの各対向縁において前記板ガラス支持枠側に立設された一対のひれ状部材を有することを特徴とする。
【００１８】
請求項３記載の板ガラス保持部材によれば、一対の板ガラス保持部は、それらの対向縁において板ガラス支持枠側に立設された一対のひれ状部材を有するので、複層ガラス保持部材の内側に溜まった水を速やかにサッシ側に排出することができる。
【００１９】
請求項４記載の板ガラス保持部材は、請求項１乃至３のいずれか１項に記載の板ガラス保持部材において、前記一対の板ガラス保持部は、夫々前記板ガラス体本体の各表面と粘着されることを特徴とする。
【００２０】
請求項４記載の板ガラス保持部材によれば、内側に突出したシール片部は、複層ガラス本体の板ガラスの各外側表面に粘着されているので、軟質部材と複層ガラス本体とを確実に固定することができる。
【００２１】
請求項５記載の板ガラス保持部材は、請求項１乃至４のいずれか１項に記載の板ガラス保持部材において、前記粘着は、両面粘着テープによって行われることを特徴とする。
【００２２】
請求項６記載の板ガラス保持部材は、請求項１乃至５のいずれか１項に記載の板ガラス保持部材において、前記一対の板ガラス保持部は前記断面コの字形の板ガラス保持部に融着されていることを特徴とする。
【００２３】
請求項６記載の板ガラス保持部材によれば、ガラス体本体の底辺の外周縁をその両側で挟持する一対の板ガラス保持部が、断面コの字形の板ガラス保持部の両側部に夫々融着されているので、一対の板ガラス保持部と断面コの字形の板ガラス保持部とを確実に固定することができる。
【００２４】
【発明の実施の形態】
以下、本発明の実施の形態に係る板ガラス保持部材を図面を参照しながら説明する。
【００２５】
図１は、本発明の第１の実施の形態に係る板ガラス保持部材を備える板ガラス体の部分斜視図である。
【００２６】
図１に示すように、複層ガラス体１（板ガラス体）は、複層ガラス本体１０（板ガラス体本体）と、複層ガラス本体１０の外周縁部に嵌め込まれた複層ガラス保持部材３０（板ガラス保持部材）と、複層ガラス保持部材３０を介して複層ガラス本体１０を保持するサッシ２０（板ガラス支持枠）とから成る。
【００２７】
サッシ２０は、図２に示すように、複層ガラス保持部材３０が外周縁部に嵌め込まれた複層ガラス本体１０を収容するアルミニウム製のチャンネル状サッシ本体２１と、サッシ本体２１のチャンネル底部２２上に載置され、複層ガラス保持部材３０を介して複層ガラス本体１０を支持するセッティングブロック２３とから成る。
【００２８】
複層ガラス本体１０は、その構成が図１１のものと基本的に同じであり、同じ構成要素については同一の参照番号を付して重複した説明を省略する。
【００２９】
複層ガラス保持部材３０のうち、複層ガラス本体１０の底辺を除く３辺の外周縁部に嵌め込まれるもの（断面コの字形の板ガラス保持部）（以下「複層ガラス保持部材３０ａ」という）は、図３（ａ）に示すように、複層ガラス本体１０の外周縁部を収容し得る溝３３、及びサッシ２０のチャンネル内に嵌め込まれ得る外形を有する断面略コの字形の硬質塩化ビニル樹脂製の長尺状硬質部材３１と、硬質部材３１の両側部上縁に各下縁部で夫々固定された塩化ビニル樹脂製又はエラストマー系樹脂製の一対の軟質部材３２とから成る。複層ガラス保持部材３０ａは、（長手方向の）各端が４５°に傾斜している（図４）。
【００３０】
複層ガラス保持部材３０のうち、複層ガラス本体１０の底辺の外周縁部に嵌め込まれるもの（一対の板ガラス保持部）（以下「複層ガラス保持部材３０ｂ」という）は、図３（ｂ）に示すように、複層ガラス本体１０の外周縁部を収容し得る塩化ビニル樹脂製又はエラストマー系樹脂製の一対の長尺状軟質部材４２から成る。複層ガラス保持部材３０ｂは、上記断面略コの字形の硬質塩化ビニル製硬質部材３１を有しないこと以外は、複層ガラス保持部材３０ａと同一の構成である（図４）。
【００３１】
一対の軟質部材３２は、複層ガラス本体１０に対称に構成されており、以下の説明では、板ガラス１１１側の軟質部材３２に着目して説明する。板ガラス１１２の側の軟質部材３２も同様である。
【００３２】
軟質部材３２は、その上縁に、複層ガラス本体１０の板ガラス１１１の外側表面との間を密閉すべく内側に突出したシール片部３５と、サッシ２０のチャンネルの一縁部に対して係止自在に外側に突出した弾性張出係止部３６と、その内側面に硬質部材３１の底部３４に向かって斜めに突出したショア硬度６０〜７５度程度の、塩化ビニル樹脂製又はエラストマー系樹脂製の挟持片部３７とから成る。
【００３３】
一対の挟持片部３７は、その先端部各々の間隔寸法が複層ガラス本体１０の厚さ寸法より小さく設定されており、複層ガラス本体１０が溝３３に挿入される際に弾性的に撓んで、この撓みにより発生する２枚の板ガラスの各外側面に対する摩擦力によって複層ガラス本体１０を挟持する。また、弾性張出係止部３６は、複層ガラス本体１０の外周縁部に嵌め込まれた複層ガラス保持部材３０がサッシ２０のサッシ本体２１に収容されたときに、サッシ２０の縁部と係合し、サッシ２０は、複層ガラス保持部材３０を介して複層ガラス本体１０を安定的に保持する。
【００３４】
各端が４５°に傾斜している複層ガラス保持部材３０ｂは、図４に示すように、各端が４５°に傾斜している複層ガラス保持部材３０ａと各隅部５１で直角に接合している。軟質部材３２，４２に関して云えば、複層ガラス保持部材３０ｂの一対の軟質部材４２は、複層ガラス保持部材３０ａの一対の軟質部材３２と角隅部５１で接合している。この接合は融着によってなされ、軟質部材４２と軟質部材３２とは一体化されている。
【００３５】
断面コの字形の長尺状複層ガラス保持部材３０ａが複層ガラス本体１０の底辺以外の３辺の外周縁に嵌め込まれ、一対の板ガラス保持部材３０ｂは複層ガラス本体１０の底辺の外周縁をその両側で挟持する（図５）。これにより、複層ガラス保持部材３０は、複層ガラス体１のサッシ２０のチャンネル内で複層ガラス本体１０を保持する。
【００３６】
また、複層ガラス保持部材３０ｂの軟質部材４２において、内側に突出したシール片部４４は、両面粘着テープ５２により複層ガラス本体１０の板ガラス１１１，１１２の各外側表面に接着されている。これにより、軟質部材４２と複層ガラス本体１０との密閉度を向上させている。
【００３７】
図６は、図３（ｂ）の複層ガラス保持部材３０ｂを備える板ガラス体の部分断面図である。
【００３８】
図６の複層ガラス体１は、その構成が図１１のものと基本的に同じであり、同じ構成要素については同一の参照番号を付して重複した説明を省略し、以下に異なる部分のみを説明する。
【００３９】
図６に示すように、複層ガラス保持部材３０ｂは、複層ガラス本体１０の外周縁部を収容し得る長尺状塩化ビニル樹脂製又はエラストマー系樹脂製の一対の軟質部材４２から成り、軟質部材４２は、その内側面から複層ガラス本体１０の端部に向かって斜めに突出する塩化ビニル樹脂製又はエラストマー系樹脂製でショア硬度６０〜７５度程度の一対の挟持片部４３と、その上縁に、複層ガラス本体１０の各表面との間を密閉すべく内側に突出した一対のシール片部４４と、サッシ２０のチャンネルの両縁部に対して夫々係止自在に外側に突出した一対の弾性張出係止部４５とを備える。これらの挟持部４３は、その先端部各々の間隔寸法が複層ガラス本体１０の厚さ寸法より小さく設定されており、複層ガラス本体１０が一対のシール片部４４の間に挿入される際に、複層ガラス本体１０によって下方に弾性的に撓んで、この撓みにより発生する弾性力によって複層ガラス本体１０を挟持する。
【００４０】
複合ガラス保持部材３０ｂの軟質部材４２は、図７において参照番号７２で示すように、断面Ｌ字形であってもよい。ここに、図７の板ガラス体は、その構成が図１１のものと基本的に同じであり、同じ構成要素については同一の参照番号を付してある。
【００４１】
本実施の形態に係る複層ガラス保持部材によれば、複層ガラス本体１０の底辺以外の３辺の外周縁に嵌め込まれた断面コの字形の一対の長尺状複層ガラス保持部材３０ａが複層ガラス本体１０の底辺の外周縁をその両側で挟持するので、複層ガラス本体１０の外周縁部への取り付けを容易に行うことができる。
【００４２】
また、複層ガラス本体１０の底辺の外周縁部に嵌め込まれた複層ガラス保持部材３０ｂは、一対の長尺状軟質部材４２から成るので、複層ガラス保持部材３０ｂのサイズは、複層ガラス本体とサッシの間隔寸法に対応していればよく、複層ガラス本体１０の寸法及びサッシ２０の寸法を夫々考慮する必要がない。
【００４３】
図８は、本発明の第２の実施の形態に係る複層ガラス保持部材の概略形状を示す図であり、（ａ）は斜視図であり、（ｂ）は断面図である。
【００４４】
本実施の形態においては、複層ガラス保持部材３０のうち、複層ガラス本体１０の底辺を除く３辺の外周縁部に嵌め込まれるものは、図３（ａ）に示すように第１の実施の形態のものと同じである。
【００４５】
複層ガラス保持部材３０のうち、複層ガラス本体１０の底辺の外周縁部に嵌め込まれるもの（以下「複層ガラス保持部材２３０ｂ」という）は、図８に示すように、複層ガラス本体１０の外周縁部を収容し得る一対の断面Ｌ字型の長尺状半硬質部材２４１と、長尺状半硬質部材２４１に中空層２４６を形成するように固定された塩化ビニル樹脂製又はエラストマー系樹脂製の一対の長尺状軟質部材２４２とから成る。一対の軟質部材２４２は、夫々、その内側面から半硬質部材２４１に向かって斜めに突出する２つの突起部を有する。
【００４６】
一対の長尺状半硬質部材２４１は、それらの各対向縁においてサッシ２０側に立設されたひれ状軟質部材２３８（一対のひれ状部材）を備える。また、長尺状軟質部材２４２は、その上縁に、複層ガラス本体１０の各表面との間を密閉すべく内側に突出した一対のシール片部２４４と、サッシ２０のチャンネルの両縁部に対して夫々係止自在に外側に突出した一対の弾性張出係止部２４５とを備える。ひれ状軟質部材２３８の長さは、２．０〜５．０ｍｍ、幅は、０．２〜１．５ｍｍである。
【００４７】
複層ガラス保持部材２３０ｂの長尺状軟質部材２４２において、内側に突出したシール片部２４４は、両面粘着テープ２５２により複層ガラス本体１０の板ガラス１１１，１１２の各外側表面に接着され、長尺状半硬質部材２４１は、両面粘着テープ２５３により複層ガラス本体１０の板ガラス１１１，１１２の各端面に接着される（図９）。これにより、複層ガラス保持部材２３０ｂと複層ガラス本体１０との密閉度を向上させている。
【００４８】
各端が４５°に傾斜している複層ガラス保持部材２３０ｂは、図９に示すように、各端が４５°に傾斜している複層ガラス保持部材３０ａと各隅部２５１で直角に接合している。一対の長尺状半硬質部材２４１に関して云えば、複層ガラス保持部材２３０ｂの一対の半硬質部材２４１は、複層ガラス保持部材３０ａの軟質部材３１と角隅部２５１で接合している。この接合は接着によってなされ、複層ガラス保持部材２３０ｂと複層ガラス保持部材３０ａとは一体化されている。
【００４９】
図１０は、図８（ｂ）の複層ガラス保持部材２３０ｂを備える板ガラス体の部分断面図である。
【００５０】
図１０の板ガラス体は、その構成が図１１のものと基本的に同じであり、同じ構成要素については同一の参照番号を付して重複した説明を省略し、以下に異なる部分のみを説明する。
【００５１】
図１０に示すように、複層ガラス保持部材２３０ｂは、複層ガラス本体１０の外周縁部を収容し得る一対の断面Ｌ字型の長尺状半硬質部材２４１と、長尺状半硬質部材２４１に中空層２４６を形成するように固定された塩化ビニル樹脂製又はエラストマー系樹脂製の一対の長尺状軟質部材２４２とから成る。
【００５２】
複層ガラス保持部材２３０ｂの幅は、複層ガラス本体１０とサッシ２０の間隔寸法より大きく設定されており、複層ガラス保持部材２３０ｂが嵌め込まれた複層ガラス本体１０がサッシ２０に挿入される際に、サッシ２０によって中空層２４６の方向に弾性的に撓んで、この撓みにより発生する弾性力によって複層ガラス本体１０を挟持する。
【００５３】
また、一対の長尺状半硬質部材２４１の各対向縁においてサッシ２０側に立設された一対のひれ状軟質部材２３８により、複層ガラス保持部材の内側に溜まった水は速やかにサッシ２０側に排出される。
【００５４】
本実施の形態に係る複層ガラス保持部材によれば、一対の長尺状半硬質部材２４１は、それらの各対向縁においてサッシ２０側に立設された一対のひれ状軟質部材２３８を有するので、複層ガラス保持部材の内側に溜まった水を速やかにサッシ側に排出することができる。
【００５５】
また、ひれ状軟質部材２３８は、軟質樹脂製であるので、輸送時に余分な容積を必要としない。
【００５６】
上記本発明の実施の形態において、複層ガラス本体１０は、合わせガラスや、三枚以上の板ガラスを備えて構成してあるものであってもよく、また、複層ガラス本体１０を構成する板ガラスの全部又は一部が、熱線吸収、紫外線吸収や熱線反射（遮熱用を含む）等の機能を備えたものや、網入りや強化処理等を施したもので構成してあってもよい。
【００５７】
図１における複層ガラス保持部材３０は、上記形状に限るものではなく、また、上記材質に限るものではない。
【００５８】
図１におけるサッシ２０は、上記形状に限るものではなく、また、アルミニウム製のものに限定されるものではなく、例えば、鉄製や、ステンレス鋼製、またはアルミニウムと樹脂の複合構造であってもよい。
【００５９】
図４における複層ガラス保持部材３０ａの軟質部材３２と複層ガラス保持部材３０ｂの軟質部材４２との接合部５１は、融着だけでなく、接着剤を用いた接着による接合であってもよい。
【００６０】
本実施の形態では、複層ガラス保持部材３０ａは硬質部材３１と軟質部材３２から成るが、これに限定されるものではなく、複層ガラス保持部材３０ａ全体が軟質部材で形成されていてもよい。
【００６１】
本実施の形態では、複層ガラス保持部材２３０ｂは、複層ガラス本体１０の外周縁部を収容し得る一対の断面Ｌ字型の長尺状半硬質部材２４１を有するが、これに限るものではなく、複層ガラス本体１０の外周縁部を収容し得る一対の断面Ｌ字型の長尺状硬質部材を有していてもよい。
【００６２】
【発明の効果】
以上詳細に説明したように、請求項１の板ガラス保持部材によれば、ガラス体本体の底辺の外周縁をその両側で挟持する一対の板ガラス保持部が、断面コの字形の板ガラス保持部の両側部に夫々接合されているので、断面コの字形の板ガラス保持部をガラス体本体の底辺以外の３辺の外周縁に嵌め込むのと同時に、一対の板ガラス保持部をガラス体本体の底辺の外周縁に嵌め込むことができ、もって板ガラス体本体の外周縁部への取り付けを容易に行うことができる。
【００６３】
請求項２記載の板ガラス保持部材によれば、一対の板ガラス保持部は、夫々断面Ｌ字形部材から成るので、板ガラス体本体の外周縁部への取り付けをさらに容易に行うことができる。
【００６４】
請求項３記載の板ガラス保持部材によれば、一対の板ガラス保持部は、それらの対向縁において板ガラス支持枠側に立設された一対のひれ状部材を有するので、複層ガラス保持部材の内側に溜まった水を速やかにサッシ側に排出することができる。
【００６５】
請求項４記載の板ガラス保持部材によれば、内側に突出したシール片部は、複層ガラス本体の板ガラスの各外側表面に粘着されているので、軟質部材と複層ガラス本体とを確実に固定することができる。
【００６６】
請求項６記載の板ガラス保持部材によれば、ガラス体本体の底辺の外周縁をその両側で挟持する一対の板ガラス保持部が、断面コの字形の板ガラス保持部の両側部に夫々融着されているので、一対の板ガラス保持部と断面コの字形の板ガラス保持部とを確実に固定することができる。
【図面の簡単な説明】
【図１】本発明の第１の実施の形態に係る板ガラス保持部材を備える板ガラス体の部分斜視図である。
【図２】図１におけるサッシ２０の断面図である。
【図３】図１における複層ガラス保持部材３０の概略形状を示す図であり、（ａ）は斜視図であり、（ｂ）は断面図である。
【図４】図１における複層ガラス保持部材３０の接合部の部分斜視図である。
【図５】図１における複層ガラス保持部材３０が嵌め込まれた複層ガラス本体１０の全体図である。
【図６】図３（ｂ）の複層ガラス保持部材３０ｂを備える板ガラス体の部分断面図である。
【図７】図６の板ガラス体の変形例の断面図である。
【図８】本発明の第２の実施の形態に係る複層ガラス保持部材の概略形状を示す図であり、（ａ）は斜視図であり、（ｂ）は断面図である。
【図９】図８における複層ガラス保持部材２３０ｂの接合部の部分斜視図である。
【図１０】図８の複層ガラス保持部材２３０ｂを備える板ガラス体の部分断面図である。
【図１１】従来の板ガラス保持部材を備える板ガラス体の部分断面図である。
【符号の説明】
１  板ガラス体
１０  複層ガラス本体
２０  サッシ
３０  複層ガラス保持部材
３１  硬質部材
３２，４２  軟質部材
３５，４４  シール片部
３６，４５  弾性張出係止部
３７，４３  挟持片部
２３８  ひれ状軟質部材
【図１】
2004360439.tif 000003
【図２】
2004360439.tif 000004
【図３】
2004360439.tif 000005
【図４】
2004360439.tif 000006
【図５】
2004360439.tif 000007
【図６】
2004360439.tif 000008
【図７】
2004360439.tif 000009
【図８】
2004360439.tif 000010
【図９】
2004360439.tif 000011
【図１０】
2004360439.tif 000012
【図１１】
2004360439.tif 000013